(57)【要約】【課題】屋外駐車車両（乗用車等）の各窓グラス、サイドミラー、ヘッドライト・方向指示器部分、テールランプ等が雹や飛来する小枝等で損傷するのを保護し、又、これら部分に積もり、固まったりしている雪、火山灰、砂の除雪等に要しているかなりの労力と時間の負担を大幅に軽減する。【解決手段】防水・緩衝強化の軽量の耐久性のある素材で薄く作られた接着・取り外しが容易な１個の車体のカバー本体１でサイドミラー４を含む車体３の大部分を車体の上からすっぽり覆い、カバーの外縁部の強風でも剥がれ難い程強力なマグネット帯（磁性のゴム等）２で車体３の下部で接着しておけば保護が可能になり、運転前に駐車場所でカバーを取去ってカバー上の積雪等を振払い落すことによって簡単に極めて短時間に完全な除雪等ができ、負担の大幅軽減が可能となる。【選択図】図１
0003110076.tif 000002
【実用新案登録請求の範囲】
【請求項１】
屋外駐車車両に予め接着しておき、各窓グラス、ヘッドライト・方向指示器部分、サイドミラー及びテールランプが落下する雹（ひょう）や吹き飛ばされて来る小枝等で損傷するのを保護することを可能にし、又、防水・緩衝強化の軽量の耐久性のある素材を用いて薄く仕上げた、長く使用でき容易に接着・取り外しを行うことを可能にすることを特徴とする１個の車体カバー。
【請求項２】
同カバー本体の周囲の外縁部に強風でも剥れ難い程強力なマグネット帯（磁性のゴム等）を付けること、又、このマグネット帯付きカバーを車体にかぶせて予め接着しておき、運転前にカバーを取り去って、カバーの上に積もり、固まったりしている雪、火山灰、砂を、払い落とすことによって、簡単かつ極めて短時間の除雪等を可能にすることを特徴とする１個のマグネット帯付車体カバー。
【考案の詳細な説明】
【技術分野】
【０００１】  本考案は、屋外駐車車両（乗用車等）の各窓グラス、ドアハンドル、ヘッドライト・方向指示器部分、サイドミラー、テールランプを防護し、又、防水・緩衝強化の軽量の耐久性の素材で薄く仕上げた、その周囲の外縁部に強風でも剥れ難い程強力なマグネット帯（磁性のゴム等）を付けた、除雪・除灰・除砂を駐車場所において簡単に極めて短時間に行うことを可能にする、接着及び取り外しが容易な１個のマグネット帯付き車体カバーに関するものである。
【背景技術】
【０００２】  屋外駐車車両（乗用車等）の車体が適切に保護されていないため、落下する雹や強風で吹き飛ばされて来る小枝等で損傷し、修理のための費用と時間を要している。又、各窓グラスをはじめドアハンドル、ヘッドライト・方向指示器部分、サイドミラー及びテールランプに雪、火山灰、砂が積もったり、固まったりしていて、除雪・除灰・除砂を駐車場所において簡単に極めて短時間に行う必要があるが、このための一般的方法が考案され実用化されていないので、除雪等に相当の労力と時間を要している。
【考案の開示】
【考案が解決しようとする課題】
【０００３】  車庫内駐車をすれば車体（乗用車等）の保護及び防雪・防灰・防砂が可能であり、除雪・除灰・除砂の必要もないが、車庫の設置は経済的負担が大きく、又、スペースが必要になる。このため北欧の先進諸国をはじめ多くの国において多くの車両が屋外に駐車されているところ、屋外駐車車両の各窓グラス、ヘッドライト・方向指示器部分、サイドミラー、テールランプが落下する雹や強風で吹き飛ばされて来る小枝等で損傷することがよく起きており、屋外駐車車両のこれらの部分の保護が課題となっている。又、降ってくる雪、火山灰、細かい砂が屋外駐車車両のこれらの部分に積もったり、固まったりしているのを、駐車場所において簡単に極めて短時間に完全除雪、除灰、除砂することが課題となっている。これらの部分を含む屋外駐車車両の保護、及び簡単かつ極めて短時間の除雪等を可能にする１個の耐久性のマグネット付き車体カバーを提供する。
【課題を解決するための手段】
【０００４】  屋外駐車車両（乗用車等）の各窓グラス、両サイドの前部及び後部のドアのハンドル部分、及びヘッドライト・方向指示器部分、サイドミラー及びテールランプの全てを覆う、防水・緩衝強化素材でできた１個の大きなカバー本体を作る。次いで、カバー本体の周囲の外縁部に強風によっても剥がれ難い程強力なマグネット帯（磁性のゴム等）を付けて、これを車体の大部分にかぶせて覆い接着し、車体のこれらの部分を保護する。又、運転前に駐車場所でカバーを車体から取り去って、積もった雪、灰、砂を振り払い落とすことによって、簡単かつ極めて短時間に完全な除雪、除灰、除砂を可能にし、課題を解決する。
【考案の効果】
【０００５】  本考案の屋外駐車車両（乗用車等）用車体カバーは、第１に、落下する雹や吹き飛ばされて来る小枝等から各窓グラス、サイドミラー等の車体主要部分を保護する効果がある。第２に、簡単かつ極めて短時間に完全な除雪、除灰、除砂を可能にする効果があり、よって、除雪等に要する相当の労力と時間の負担の大幅軽減に大きな効果がある。加えて第３に、フロントグラス、リアグラス、サイドミラー等の除雪・除灰・除砂不足に起因する視界不良の状態で運転される車両の走行を無くし、もって運転事故発生の危険性を低め、事故を予防する効果もある。
【考案を実施するための最良の形態】
【０００６】  車体全体及びサイドミラーの形状・サイズに合せて、防水・緩衝強化の軽量の耐久性のある素材を用いて薄く、接着・取り外しが容易なように仕上げた１個のカバー本体を作る。次いで、カバー本体の周囲の外縁部に強風でも剥れ難い程強力なマグネット帯（磁性のゴムその他磁性素材で作られたもの）を付ける。そして、このカバーを車体の上からサイドミラーを含む車体のほぼ全体にすっぽりかぶせ、車体の下部で前部、後部、両サイドにマグネット帯を順次接着し、これによりカバーが車体の上にしっかりかぶせられて強風でも剥れ難くなり、フロントグラス部分、サイドミラー等の車体主要部分の保護が可能になる。又、運転前に駐車場所においてカバーの周囲の外縁部のマグネット帯を接着部分から順に引き離し、カバーを車体から取り外して、カバーの上に積もった雪、灰、砂を振り払い落とすことによって、簡単に極めて短時間に完全な除雪、除灰、除砂が可能となる。
【実施例】
【０００７】  以下、添付図面に従って一つの実施例を説明する。１は防水・緩衝強化の軽量の耐久性のある素材を用いて薄く仕上げた車体カバー本体で、２はカバー本体１の周囲の外縁部に付けたマグネット帯、３は車体、４はサイドミラー、５は窓グラス、６は車輪である。カバー本体１を車体３の上からすっぽりかぶせてサイドミラー４を含めた車体３のほぼ全体を覆い、車輪６近くの車体３の下部で車体３の前部、後部、両サイドにマグネット帯２を順次接着し、窓グラス５を含むフロントグラス部分、窓グラス５を含むリアグラス部分、サイドミラー４等の車体主要部分を保護する。運転前に駐車場所においてカバー本体１の周囲の外縁部のマグネット帯２を車体３の接着していた部分から順次引き離し、カバーを車体３から取り外して、カバーの上に積もった雪、灰、砂を振り払い落とすことによって簡単かつ極めて短時間に完全な除雪、除灰、除砂を行う。
【図面の簡単な説明】
【０００８】
【図１】車体の保護及び簡易除雪等の為の１個のマグネット帯付カバーを示した平面図。
【図２】車体の保護及び簡易除雪等の為の１個のマグネット帯付カバーを示した断面図。
【符号の説明】
【０００９】  １  カバー本体
２  カバー本体の周囲外縁部に付けたマグネット帯
３  車体
４  ミラー
５  窓グラス
６  車輪
【図１】
0003110076.tif 000003
【図２】
0003110076.tif 000004
【手続補正書】
【提出日】平成17年3月8日(2005.3.8)
【手続補正１】
【補正対象書類名】実用新案登録請求の範囲
【補正対象項目名】全文
【補正方法】変更
【補正の内容】
【実用新案登録請求の範囲】
【請求項１】
ワイパーを含むフロントグラス部分、ワイパーを含むリアグラス部分、両サイドの前部と後部のドアにある窓グラス部分、前記ドアにあるハンドル部分、ヘッドライト、方向指示器部分、サイドミラー又はテールランプのいずれかのほぼ全体を覆うカバー本体と、
前記カバー本体の４箇所に取り付けられた吸着帯とを備える保護カバー。
【請求項２】
前記吸着帯は、磁性のゴムからなる請求項１に記載の保護カバー。